(57)【特許請求の範囲】
【請求項１】
建物開口部の内側に取り付けられる上下枠及び左右枠と、左右枠に沿って配置されるガイド枠と、ガイド枠に収容されるガイド部材と、ガイド部材の案内溝に沿って巻き取り及び巻き戻しされるスクリーンと、このスクリーンを巻き取って収容する収容ボックスを備える防火用スクリーンにおいて、
前記ガイド部材は、前記ガイド枠、その他の部材に固定されることなく独立していると共に、
前記ガイド部材は、前記ガイド枠の中空部において、その周囲にクリアランスが形成されるように収容されており、
前記ガイド部材は、スリットを備えており、
前記ガイド部材の前記スリットが形成された面の該スリットを挟んだ両端間の寸法が、前記ガイド枠の自由端の間隔よりも大きいことを特徴とする防火用スクリーン。
【請求項２】
前記ガイド部材は、略口状の形状を有していることを特徴とする請求項１に記載の防火用スクリーン。
【請求項３】
前記スクリーンのボトム枠の端部が、前記ガイド枠の開口に入り込むことを特徴とする請求項１又は同２に記載の防火用スクリーン。
【請求項４】
前記建物開口部の内側であって、且つ、開口部の額縁部に固定されていることを特徴とする請求項１乃至３の何れかに記載の防火用スクリーン。
【発明の詳細な説明】
【技術分野】
【０００１】
本願発明は、防火設備として使用できる防火用スクリーンに関する。
【背景技術】
【０００２】
万が一の火災の際に、発生する恐れがある人的被害等を防ぐため、建物の開口部の非防火サッシに防火シャッター等を設置することが、要請されている。
建物の開口部を防火仕様に改修する方法として、外付の防火シャッターを付加する方法がある。
しかし、建物の開口部の外側に庇がある場合や、収納ボックスが大きい場合には設置できず、また開口部が出窓のように外に飛び出す形状の場合にも設置できないことがある。
また、防火シャッターは一般に金属製スラットから構成されているが、防火シャッターの建物開口部の内側への設置は，意匠的にも受け入れ難いし、梁等の内部の制約も多い。
【０００３】
特許文献１には、建物の室内側に、シャッターボックスとシャッターレールとシャッターの受け台からなるシャッター枠を設け、金属製スラットの代わりに透明フィルムによるスラットを設けたシャッターが開示されている。
このシャッターは、防火用ではないが、シャッターボックス、シャッターレール及びシャッター受け台が室内面から露出して、防火対策の面で、そのまま防火用スクリーンに応用することはできない。また、シャッターボックスが室内面から突出しており、かかる構成は、室内の調和を乱し意匠的にも受け入れ難いものとなっている。
【先行技術文献】
【特許文献】
【０００４】
【特許文献１】特開２０００−１７０４５３号公報
【発明の概要】
【発明が解決しようとする課題】
【０００５】
そこで、本発明は、防火用スクリーンの構成を建物の開口部の内側への取付に適したものにすること、スクリーンの操作性を高めること、耐火性、不燃性を高めること等の課題を解決するための防火用スクリーンを提供することを目的とする。
【課題を解決するための手段】
【０００６】
上記課題を解決するため、建物開口部の内側に取り付けられる上下枠及び左右枠と、左右枠に沿って配置されるガイド枠と、ガイド枠に収容されるガイド部材と、ガイド部材の案内溝に沿って巻き取り及び巻き戻しされるスクリーンと、このスクリーンを巻き取って収容する収容ボックスを備える防火用スクリーンにおいて、前記ガイド部材は、前記ガイド枠、その他の部材に固定されることなく独立していると共に、前記ガイド部材は、前記ガイド枠の中空部において、その周囲にクリアランスが形成されるように収容されており、
前記ガイド部材は、スリットを備えており、前記ガイド部材の前記スリットが形成された面の該スリットを挟んだ両端間の寸法が、前記ガイド枠の自由端の間隔よりも大きいことを特徴とする防火用スクリーンとした（請求項１に記載の発明）。
【０００７】
上記発明において、前記ガイド部材は、略口状の形状を有していることを特徴とする防火用スクリーンとした（請求項２に記載の発明）。
上記発明において、前記スクリーンのボトム枠の端部が、前記ガイド枠の開口に入り込むことを特徴とする防火用スクリーンとした（請求項３に記載の発明）。
【０００８】
前記各防火用スクリーンは、建物開口部の内側であって、且つ、開口部の額縁部に固定されている構造とした（請求項４に記載の発明）。
【発明の効果】
【０００９】
本願発明によれば、金属製スラットではなく、布状のスクリーンとすることで収容ボックスを小さくすることができ、開口部からの採光面積を大幅に小さくすることなく設置することができ、建物の開口部の内側への取付に適したものとなっている。
また、スクリーンの巻き取り及び巻き戻しをガイドするガイド部材をガイド枠とは独立させて構成したことで、スクリーンの操作性を高めることができる。
さらに、前記各防火用スクリーンは、建物開口部の内側であって、且つ、開口部の額縁部に固定されている構造としたので、各構成要素が室内面に露出する面積を少なくでき、耐火性、不燃性を高めることができる。
【図面の簡単な説明】
【００１０】
【図１】本願発明に係る防火用スクリーンの木造の納まりを示す縦中央断面図、
【図２】同横断面図、
【図３】同横断面図におけるガイド枠とガイド部材の要部拡大図、
【図４】同防火用スクリーンの鉄筋コンクリート（ＲＣ）造納まりを示す縦中央断面図、
【図５】同横断面図である。
【発明を実施するための形態】
【００１１】
本発明に係る防火用スクリーン１は、図１及び図２並びに図３及び図４のように、建物開口部２の内側に取り付けられる上下枠３，４及び左右枠５，６と、左右枠５，６に沿って、かつ、室内側に配置されるガイド枠７と、ガイド枠７に収容されるガイド部材８と、ガイド部材８の案内溝８０に沿って巻き取り及び巻き戻しされるスクリーン９と、このスクリーン９を巻き取って収容する収容ボックス９０を備えている。
【００１２】
建物開口部２には、サッシ枠Ｓを介して引き違い窓等が取り付けられているが、それらの構成とは関係することなく、防火用スクリーン１を取り付けることができる。
【００１３】
上下枠３，４及び左右枠５，６は、建物開口部２の内側において、その内周面に固定されるもので、例えば図１に示す木造納まりの場合には、開口部２の額縁部２０の内周面２１に固定されている。
即ち、上下枠３，４、左右枠５，６、ガイド枠７及び収容ボックス９０は、前記内周面２１に収まるように配置されている。
一方、ＲＣ造納まりの場合には、図４及び図５に示すように、アンカーＡを介して額縁部２０に固定されている。
【００１４】
ガイド枠７は、左右枠５，６の室内側端に配置されているもので、図３に示すように、スクリーン９の先端辺９１を取付けるボトム枠Ｂ（図１参照）の端部Ｂ１が入り込む開口７０と、この開口７０を除き中空状に形成されている中空部７１からなっている。
前記開口７０を形成するガイド枠７の自由端７２は、ガイド部材８が当接可能になっており、その抜け止め防止手段となっている。
各中空部７１には、図３に示すように、ガイド枠７に沿って、難燃性、不燃性の弾性材として、例えばスポンジからなる緩衝部７３が設けられ、前記自由端７２、７２と中空部７１の内壁間に固定されている。
【００１５】
前記各ガイド部材８は、図３に示すように、前記スクリーン９の両縁のたて辺９２をスライドさせる案内溝としてのスリット８０を備える略口状の形材で形成され、ガイド枠７に沿うように長尺状に形成されていると共に、ガイド枠７、その他の部材に固定されることなく独立して、前記緩衝部７３に略当接し得る状態で、例えば下枠４上に載置されている。
【００１６】
かかるガイド部材８は、前記中空部７１において、その周囲にクリアランスＣ（遊び／隙間）が形成されるように収容されている。
【００１７】
前記スクリーン９は、耐火性、不燃性のもので、ガラスクロス若しくはシリカクロス、又はこれらのクロスに耐火塗料を塗布したもの、含浸させたものにより形成されている。
このスクリーン９のたて辺９２には、抜止部９３が取り付けられ、前記ガイド部材８のスリット８０を塞ぐように位置されている。
この抜止部９３は、スクリーン９が撓む力を受けた場合に、その両縁のたて辺９２が、スリット８０から抜け出ることを防ぐものであることから、スリット８０より幅広に形成され、かつ、スクリーン９のたて辺９２の上下間において、複数個に形成される（それぞれ図示せず）。
【００１８】
前記スクリーン９のボトム枠Ｂには、ラッチ９４が取り付けられ、このラッチ９４が下枠４に係止されるようになっている。よって、スクリーン９による建物開口部２の閉鎖状態を維持できるようになっている。
【００１９】
前記収容ボックス９０には、前記スクリーン９の基端辺を取り付けたドラム９５が収容され、スクリーン９が巻き取り、巻き戻されると共に、その途中において、一時的に、任意の位置で停止できる機構を備えている。
【００２０】
以上の構成の防火用スクリーン１の作用効果は、次の通りである。
（１）  防火用スクリーン１は、建物開口部２の非防火サッシの構成に関係することなく、室内側に取付けることができ、その際に、布状のスクリーンを収容するコンパクトな収容ボックス９０により、建物の開口部２の内側への取付に適したものとなっている。
（２）  ガイド部材８は、前記中空部７１において、独立すると共に、ガイド部材８の周囲にクリアランスＣが形成されている。よって、ガイド部材８はその範囲で位置が変位可能となっており、スクリーン９に外力が作用する場合に、柔軟に対処させることができ、スクリーン９の操作性の向上につながる。
（３）  また上記（２）の構成及び作用により、建物開口部２がスクリーン９により閉鎖されている状態で、スクリーン９に外力、例えば、煙、火炎が作用して撓む場合に、その力を直接的にスクリーン９の抜止部９３に作用させることなく、スクリーン９の破損等を防ぐことができる。
（４）  クリアランスＣは、ガイド枠７とガイド部材８との間に断熱空間を形成することとなり、ガイド枠７の受ける熱が、直接的にスクリーン９の抜止部９３に影響しないようになっている。
（５）  緩衝部７３は、クリアランスＣと共に、スクリーン９が外力により、撓む場合に、その力を直接的に抜止部９３に作用させることなく、スクリーン９の破損等を防ぐことができ、またスクリーン動作の安定性、操作性を向上させることができる。
（６）  前記各防火用スクリーン１は、建物開口部２の内側の額縁部２０に固定されているので、上下枠３，４、左右枠５，６、ガイド枠７、ガイド部材８、収容ボックス９０の露出面積を少なくでき、耐火性、不燃性を高めることができる。
（７）  スクリーン９の両端が前記ガイド部材８に収容され、その下端もボトム枠Ｂを介して下枠４に固定され、前記開口部２を閉鎖することができるので、延焼防止や、内部から外部への煙、火炎の吹き出しを防止することができる。
【００２１】
本発明は以上説明した実施形態に限定されるものではなく、多くの変形が本発明の技術的思想内で当分野において、通常の知識を有する者により可能である。
【符号の説明】
【００２２】
１  防火用スクリーン
２  建物開口部
２０  額縁部                            ２１  内周面
３，４  上下枠
５，６  左右枠
７  ガイド枠
７０  開口                              ７１  中空部
７２  自由端                            ７３  緩衝部
８  ガイド部材
８０  案内溝（スリット）
９  スクリーン
９０  収容ボックス                      ９１  スクリーンの先端辺
９２  スクリーンのたて辺                ９３  抜止部
９４  ラッチ                            ９５  ドラム
Ｂ  ボトム枠                            Ｂ１  端部
Ｓ  サッシ枠
Ｃ  クリアランス（遊び）
【図１】
0006483965.tif 000002
【図２】
0006483965.tif 000003
【図３】
0006483965.tif 000004
【図４】
0006483965.tif 000005
【図５】
0006483965.tif 000006